(57)【要約】【課題】  各サーボ回路からのＰＷＭ信号の基準電圧を同一にするレベルシフト回路を備えるディスク再生装置において、レベルシフト回路の部品点数を削減できるディスク再生装置を提供すること。【解決手段】  レベルシフト回路８は、フィルタ回路９Ｄとサーボ回路７Ｄとの間に設けられる。レベルシフト回路８は、電圧生成部３１から第１の基準電圧の２倍の電圧が電源電圧として供給され、サーボ回路７ＤからＰＷＭ信号が入力され、ＰＷＭ信号の振幅値を第１の基準電圧の２倍の電圧に変換することによって、ＰＷＭ信号の基準電圧を第１の基準電圧に変換する基準電圧変換部３２を有する。【選択図】図３
2007228729.tif 000002
【特許請求の範囲】
【請求項１】
第１の基準電圧を有する制御信号を出力する第１のサーボ回路と、
該第１の基準電圧とは異なる第２の基準電圧を有するパルス変調信号を出力する第２のサーボ回路と、
該第２のサーボ回路からのパルス変調信号が供給されるフィルタ回路と、
該第１の基準電圧が供給され、該第１のサーボ回路からの信号および／または該フィルタ回路からの信号に応答して、再生駆動部に駆動信号を出力するモータドライバと、
該フィルタ回路と該第２のサーボ回路との間に設けられ、該第２のサーボ回路からのパルス変調信号の基準電圧を該第２の基準電圧から該第１の基準電圧に変換し、変換後のパルス変調信号を該フィルタ回路に出力するレベルシフト回路とを備える、ディスク再生制御装置。
【請求項２】
前記レベルシフト回路が、
前記第１の基準電圧の２倍の電圧が電源電圧として供給され、前記第２のサーボ回路からパルス変調信号が入力され、該パルス変調信号の振幅値を該第１の基準電圧の２倍の電圧に変換することによって、該パルス変調信号の基準電圧を該第１の基準電圧に変換する基準電圧変換部を有する、請求項１に記載のディスク再生制御装置。
【請求項３】
前記基準電圧変換部がＡＮＤ回路を有し、
該ＡＮＤ回路の２つの入力端子に前記第２のサーボ回路からのパルス変調信号が入力され、
該ＡＮＤ回路の電源電圧として前記第１の基準電圧の２倍の電圧が供給され、
該ＡＮＤ回路の出力端子から該基準電圧変換部の出力信号が出力される、請求項２に記載のディスク再生制御装置。
【請求項４】
前記基準電圧変換部がＡＮＤ回路を有し、
該ＡＮＤ回路の一方の入力端子に前記第２のサーボ回路からのパルス変調信号が入力され、
該ＡＮＤ回路の他方の入力端子に前記第１の基準電圧の２倍の電圧が供給され、
該ＡＮＤ回路の電源電圧として該第１の基準電圧の２倍の電圧が供給され、
該ＡＮＤ回路の出力端子から該基準電圧変換部の出力信号が出力される、請求項２に記載のディスク再生制御装置。
【請求項５】
前記基準電圧変換部がＯＲ回路を有し、
該ＯＲ回路の２つの入力端子に前記第２のサーボ回路からのパルス変調信号が入力され、
該ＯＲ回路の電源電圧として前記第１の基準電圧の２倍の電圧が供給され、
該ＯＲ回路の出力端子から該基準電圧変換部の出力信号が出力される、請求項２に記載のディスク再生制御装置。
【請求項６】
前記基準電圧変換部がＯＲ回路を有し、
該ＯＲ回路の一方の入力端子に前記第２のサーボ回路からのパルス変調信号が入力され、
該ＯＲ回路の他方の入力端子が接地電位に接続され、
該ＯＲ回路の電源電圧として前記第１の基準電圧の２倍の電圧が供給され、
該ＯＲ回路の出力端子から該基準電圧変換部の出力信号が出力される、請求項２に記載のディスク再生制御装置。
【請求項７】
前記基準電圧変換部がバッファ回路を有し、
該バッファ回路の入力端子に前記第２のサーボ回路からのパルス変調信号が入力され、
該バッファ回路の電源電圧として前記第１の基準電圧の２倍の電圧が供給され、
該バッファ回路の出力端子から該基準電圧変換部の出力信号が出力される、請求項２に記載のディスク再生制御装置。
【請求項８】
前記レベルシフト回路が、
前記第１の基準電圧が供給されることにより、該第１の基準電圧の２倍の電圧を生成し、当該電圧を前記基準電圧変換部に供給する電圧生成部をさらに有する、請求項２〜７のいずれかに記載のディスク再生制御装置。
【請求項９】
前記電圧生成部が、非反転入力端子に前記第１の基準電圧が入力されるオペアンプと、
該オペアンプの出力端子と反転入力端子との間に接続された第１の抵抗と、
該オペアンプの反転入力端子と接地電位との間に接続された第２の抵抗とを有し、
該オペアンプの出力端子から該電圧生成部の出力電圧が出力される、請求項８に記載のディスク再生制御装置。
【請求項１０】
前記フィルタ回路と前記モータドライバとの間に設けられ、前記フィルタ回路からの信号の振幅値を所定の値に調整する振幅調整部をさらに備える、請求項１〜９のいずれかに記載のディスク再生制御装置。  
【請求項１１】
前記パルス変調信号がＰＷＭ信号またはＰＤＭ信号である、請求項１〜１０のいずれかに記載のディスク再生制御装置。
【発明の詳細な説明】
【技術分野】
【０００１】
本発明は、サーボ回路からモータドライバに供給されるＰＷＭ信号の基準電圧を変換するレベルシフト回路を備えるディスク再生制御装置に関する。
【背景技術】
【０００２】
ＣＤプレーヤ等のディスク再生装置において、フォーカスサーボ回路、トラッキングサーボ回路、スレッドサーボ回路およびスピンドルサーボ回路等が、光ピックアップ、スレッドモータおよびスピンドルモータの駆動を制御する制御信号をＰＷＭ信号として出力し、当該ＰＷＭ信号をフィルタ回路でアナログ信号に変換した制御信号を、モータドライバに供給する構成が下記特許文献１に記載されている。モータドライバは、供給された制御信号に基づいて、光ピックアップおよびスピンドルモータ等に駆動信号を供給し、光ピックアップの移動およびディスクの回転等の処理が実行される。
【０００３】
従来、コストの削減を目的として、１つのＩＣパッケージで、フォーカスサーボ回路、トラッキングサーボ回路、スレッドサーボ回路およびスピンドルサーボ回路等の複数のサーボ回路からの制御信号が入力され、各制御信号に応答して、光ピックアップおよびスピンドルモータ等に駆動信号を出力することができる多チャンネルモータドライバ（４チャンネルモータドライバ等）が採用されている。しかし、多チャンネルモータドライバは、その回路構成の都合により、１つの基準電圧でしか動作することができないものが多いので、各サーボ回路からの各制御信号の基準電圧（基準電圧は、ＰＷＭ信号の振幅の１／２の電圧である）を同一にする必要がある。そのため、サーボ回路の後段のフィルタ回路とモータドライバとの間にレベルシフト回路を設け、レベルシフト回路によって各制御信号の基準電圧を同一になるように変換している。
【０００４】
例えば、フォーカスサーボ回路、トラッキングサーボ回路およびスレッドサーボ回路からのＰＷＭ信号の基準電圧がｒｅｆ１であり、スピンドルサーボ回路からのＰＷＭ信号の基準電圧がｒｅｆ０である場合、スピンドルサーボ回路の後段のフィルタ回路とモータドライバとの間にレベルシフト回路が設けられ、レベルシフト回路において制御信号の基準電圧がｒｅｆ０からｒｅｆ１に変換されて出力される。
【０００５】
従来のレベルシフト回路７０を図７に示す。レベルシフト回路７０は、入力されるＰＷＭ信号をフィルタ回路７５で高周波成分を除去したアナログ信号に変換した後、アナログ信号の基準電圧ｒｅｆ０をｒｅｆ１に変換するようにしている。レベルシフト回路７０は、オペアンプ７１〜７４を備える。オペアンプ７１および７２は、フィルタ回路７５の出力信号の基準電圧をｒｅｆ１に変換するための電圧を生成するためのものである。オペアンプ７１の非反転入力端子に電圧ｒｅｆ０が入力され、オペアンプ７２の非反転入力端子に電圧ｒｅｆ１が入力されることにより、オペアンプ７１および７２の出力電圧はｒｅｆ０＋（ｒｅｆ１−ｒｅｆ０）／２となり、当該電圧がオペアンプ７３の非反転入力端子に入力される。
【０００６】
オペアンプ７３の反転入力端子にフィルタ回路７５からの制御信号が入力されることにより、オペアンプ７３の出力端子には、基準電圧がｒｅｆ１である制御信号を反転した信号が出力される。オペアンプ７４の非反転入力端子にオペアンプ７３の出力信号が入力されると、オペアンプ７４の出力信号（すなわち、レベルシフト回路７０の出力信号）は、フィルタ回路７５からの制御信号の基準電圧をｒｅｆ０からｒｅｆ１に変換した制御信号となる。
【０００７】
図７のレベルシフト回路７０では、ＰＷＭ信号をフィルタ回路７５で高周波成分を除去したアナログ信号に変換したあと、当該信号の基準電圧にオペアンプ７１、７２の出力ｒｅｆ０＋（ｒｅｆ１−ｒｅｆ０）／２を加算することにより、基準電圧をｒｅｆ１に変換しているので、オペアンプを４つ使用する必要がある。その結果、部品点数が多くなり、プリント基板上に占有する面積が大きく、かつ、コストが増大するという問題を有する。
【０００８】
【特許文献１】特開平５−１０１５６２号公報
【発明の開示】
【発明が解決しようとする課題】
【０００９】
本発明の目的は、各サーボ回路からモータドライバに供給されるＰＷＭ信号の基準電圧を同一にするレベルシフト回路を備えるディスク再生制御装置において、レベルシフト回路の部品点数を削減できるディスク再生制御装置を提供することである。
【課題を解決するための手段】
【００１０】
本発明の好ましい実施形態におるディスク再生制御装置は、第１の基準電圧を有する制御信号を出力する第１のサーボ回路と、該第１の基準電圧とは異なる第２の基準電圧を有するパルス変調信号を出力する第２のサーボ回路と、該第２のサーボ回路からのパルス変調信号が供給されるフィルタ回路と、該第１の基準電圧が供給され、該第１のサーボ回路からの信号および／または該第２のフィルタ回路からの信号に応答して、再生駆動部に駆動信号を出力するモータドライバと、該フィルタ回路と該第２のサーボ回路との間に設けられ、該第２のサーボ回路からのパルス変調信号の基準電圧を該第２の基準電圧から該第１の基準電圧に変換し、変換後のパルス変調信号を該フィルタ回路に出力するレベルシフト回路とを備える。
【００１１】
好ましい実施形態においては、上記レベルシフト回路は、上記第１の基準電圧の２倍の電圧が電源電圧として供給され、上記第２のサーボ回路からパルス変調信号が入力され、該パルス変調信号の振幅値を該第１の基準電圧の２倍の電圧に変換することによって、該パルス変調信号の基準電圧を該第１の基準電圧に変換する基準電圧変換部を有する。
【００１２】
好ましい実施形態においては、上記基準電圧変換部はＡＮＤ回路を有し、該ＡＮＤ回路の２つの入力端子に前記第２のサーボ回路からのパルス変調信号が入力され、該ＡＮＤ回路の電源電圧として前記第１の基準電圧の２倍の電圧が供給され、該ＡＮＤ回路の出力端子から該基準電圧変換部の出力信号が出力される。
【００１３】
好ましい実施形態においては、上記基準電圧変換部はＡＮＤ回路を有し、該ＡＮＤ回路の一方の入力端子に前記第２のサーボ回路からのパルス変調信号が入力され、該ＡＮＤ回路の他方の入力端子に前記第１の基準電圧の２倍の電圧が供給され、該ＡＮＤ回路の電源電圧として該第１の基準電圧の２倍の電圧が供給され、  該ＡＮＤ回路の出力端子から該基準電圧変換部の出力信号が出力される。
【００１４】
好ましい実施形態においては、上記基準電圧変換部はＯＲ回路を有し、該ＯＲ回路の２つの入力端子に前記第２のサーボ回路からのパルス変調信号が入力され、  該ＯＲ回路の電源電圧として前記第１の基準電圧の２倍の電圧が供給され、該ＯＲ回路の出力端子から該基準電圧変換部の出力信号が出力される。
【００１５】
好ましい実施形態においては、上記基準電圧変換部はＯＲ回路を有し、該ＯＲ回路の一方の入力端子に前記第２のサーボ回路からのパルス変調信号が入力され、  該ＯＲ回路の他方の入力端子が接地電位に接続され、該ＯＲ回路の電源電圧として前記第１の基準電圧の２倍の電圧が供給され、該ＯＲ回路の出力端子から該基準電圧変換部の出力信号が出力される。
【００１６】
好ましい実施形態においては、上記基準電圧変換部はバッファ回路を有し、該バッファ回路の入力端子に前記第２のサーボ回路からのパルス変調信号が入力され、該バッファ回路の電源電圧として前記第１の基準電圧の２倍の電圧が供給され、該バッファ回路の出力端子から該基準電圧変換部の出力信号が出力される。
【００１７】
好ましい実施形態においては、上記レベルシフト回路は、上記第１の基準電圧が供給されることにより、該第１の基準電圧の２倍の電圧を生成し、当該電圧を前記基準電圧変換部に供給する電圧生成部をさらに有する。
【００１８】
好ましい実施形態においては、上記電圧生成部は、非反転入力端子に上記第１の基準電圧が入力されるオペアンプと、該オペアンプの出力端子と反転入力端子との間に接続された第１の抵抗と、該オペアンプの反転入力端子と接地電位との間に接続された第２の抵抗とを有し、該オペアンプの出力端子から該電圧生成部の出力電圧が出力される。
【００１９】
好ましい実施形態においては、上記フィルタ回路と上記モータドライバとの間に設けられ、上記フィルタ回路からの信号の振幅値を所定の値に調整する振幅調整部をさらに備える。  
【００２０】
好ましい実施形態においては、上記パルス変調信号はＰＷＭ信号またはＰＤＭ信号である。
【発明の効果】
【００２１】
レベルシフト回路は、第２のサーボ回路と第２のフィルタ回路との間に設けられ、パルス変調信号の段階で、基準電圧を第２の基準電圧から第１の基準電圧に変換する。従って、従来のようにフィルタ回路の後段で、基準電圧を第２の基準電圧から第１の基準電圧に変換する場合と比較して、レベルシフト回路の回路構成を簡略化でき、部品点数を削減することができる。なお、基準電圧とは、振幅値の１／２の電圧値のことをいう。
【００２２】
基準電圧変換部に第１の基準電圧の２倍の電圧を供給することにより、第２のサーボ回路からのパルス変調信号の振幅値は第１の基準電圧の２倍の電圧に変換される。その結果、第２のサーボ回路からのパルス変調信号の基準電圧は、第１の基準電圧に変換される。この構成を実現するための回路構成としては、例えば、１つのオペアンプおよび１つのＡＮＤ回路（または、ＯＲ回路）のみでよいので、部品点数が削減される。
【発明を実施するための最良の形態】
【００２３】
以下、本発明の好ましい実施形態について、図面を参照して具体的に説明するが、本発明はこれらの実施形態には限定されない。図１は、本発明の好ましい実施形態によるディスク再生装置１を示す概略図である。
【００２４】
ディスク再生装置１は、制御部２、表示部３、操作部４、信号処理回路５、ＲＦアンプ６、サーボ回路７、レベルシフト回路８、フィルタ回路９Ａ〜９Ｄ、モータドライバ１０、再生駆動部（例えば、光ピックアップ１１、スピンドルモータ１２、スレッドモータ１５）、Ｄ／Ａ変換器１３および電源回路１４を備える。サーボ回路７、レベルシフト回路８、フィルタ回路９Ａ〜９Ｄおよびモータドライバ１０は、ディスク再生制御装置を構成する。
【００２５】
制御部２は、ディスク再生装置１の各部にコマンドを出力して各部を制御する。表示部３は、ＬＣＤ（Liquid Crystal Display）等により構成され、制御部２からのコマンドおよび表示内容に基づいて、再生中の曲の情報や動作状態等を表示する。操作部４は、再生キー、停止キー、ＥＪＥＣＴキー等の各種機能キーを備え、キー操作による操作信号を制御部２へ出力する。
【００２６】
信号処理回路５は、ＤＳＰ（Digital
Signal Processor）等により構成され、光ピックアップ１１により読み出されたデータにデコード処理を実行する。ＲＦアンプ６は、光ピックアップ１１によって読み出されたデータをＲＦ増幅し、フォーカス誤差信号やトラッキング誤差信号等の各誤差信号をサーボ回路７に供給する。
【００２７】
サーボ回路７は、各誤差信号が供給され、各誤差信号に基づいて、光ピックアップ１１およびスピンドルモータ１２の駆動を制御するための制御信号をＰＷＭ（パルス幅変調）信号の形態で出力する。サーボ回路７は、ＰＤＭ（パルス密度変調）信号の形態で制御信号を出力してもよい。サーボ回路７は、代表的には、フォーカスサーボ回路７Ａ、トラッキングサーボ回路７Ｂ、スレッドサーボ回路７Ｃおよびスピンドルサーボ回路７Ｄを備える。また、必要に応じて、図示しないローディングサーボ回路（図示しないトレイをローディングする制御信号を出力するもの）を備えていてもよい。フォーカスサーボ回路７Ａは、光ピックアップ１１のレンズを移動させて焦点を制御するＰＷＭ信号を出力する。トラッキングサーボ回路７Ｂは、トラッキングスポットを合わせるためのＰＷＭ信号を出力する。スレッドサーボ回路７Ｃは、光ピックアップ１１を径方向に移動させるＰＷＭ信号を出力する。スピンドルサーボ回路７Ｄは、スピンドルモータ１２の駆動を制御するＰＷＭ信号を出力する。
【００２８】
各サーボ回路７Ａ〜７Ｄから出力されるＰＷＭ信号は、その基準電圧が異なっている。ここで、基準電圧とは、ＰＷＭ信号の振幅値の１／２の電圧値のことをいう。例えば、フォーカスサーボ回路７Ａ、トラッキングサーボ回路７Ｂおよびスレッドサーボ回路７Ｃから出力されるＰＷＭ信号は、図２（ａ）に示すとおり、ローレベルである０（Ｖ）と、ハイレベルである２ｒｅｆ１（Ｖ）との２値の値を有しており、基準電圧はｒｅｆ１である。一方、スピンドルサーボ回路７Ｄから出力されるＰＷＭ信号は、図２（ｂ）に示す通り、ローレベルである０（Ｖ）と、ハイレベルである２ｒｅｆ０（Ｖ）との２値の値を有し、基準電圧はｒｅｆ０である。
【００２９】
フィルタ回路９Ａ〜９Ｄは、サーボ回路７Ａ〜７Ｄから出力されたＰＷＭ信号を、高周波成分が除去されたアナログ制御信号（以下、単にアナログ信号と呼ぶ場合がある）に変換して、アナログ制御信号をモータドライバ１０に供給する。フィルタ回路９Ａ〜９Ｄは、代表的には、抵抗およびコンデンサから構成される。
【００３０】
モータドライバ１０は、多チャンネルモータドライバであり、複数のサーボ回路７Ａ〜７ＤからのＰＷＭ信号をフィルタ回路９Ａ〜９Ｄで高周波成分を除去したアナログ制御信号が入力され、当該制御信号に応答して、光ピックアップ１１、スピンドルモータ１２およびスレッドモータ１５を駆動する駆動信号を出力する。詳細には、フォーカスサーボ回路７Ａ、トラッキングサーボ回路７Ｂおよびスレッドサーボ回路７Ｃからの制御信号に応答して、光ピックアップ１１およびスレッドモータ１５を駆動する駆動信号を出力し、スピンドルサーボ回路７Ｄからの制御信号に応答して、スピンドルモータ１２を駆動する駆動信号を出力する。モータドライバ１０には、電源回路１４から基準電圧ｒｅｆ１が入力されており、基準電圧ｒｅｆ１を使用して各駆動信号を生成する。モータドライバ１０は、その回路構成の都合上、各サーボ回路７Ａ〜７Ｄから入力される各ＰＷＭ信号が全て同一の基準電圧ｒｅｆ１である必要がある。
【００３１】
レベルシフト回路８は、各サーボ回路７Ａ〜７Ｄから出力されるＰＷＭ信号の基準電圧を同一にする回路である。すなわち、レベルシフト回路８は、基準電圧が他のＰＷＭ信号の基準電圧（この基準電圧は、モータドライバ１０に供給され、モータドライバ１０が動作可能な基準電圧である）と異なるＰＷＭ信号について、その基準電圧を他のＰＷＭ信号の基準電圧に変換する。本例では、スピンドルサーボ回路７ＤからのＰＷＭ信号の基準電圧のみがｒｅｆ０であり、他のサーボ回路からのＰＷＭ信号の基準電圧およびモータドライバ１０に供給される基準電圧がｒｅｆ１であるので、レベルシフト回路８はスピンドルサーボ回路７ＤからのＰＷＭ信号の基準電圧をｒｅｆ０からｒｅｆ１に変換する。レベルシフト回路８は、スピンドルサーボ回路７Ｄとフィルタ回路９Ｄとの間に設けられ、アナログに変換する前のＰＷＭ信号の段階で基準電圧がｒｅｆ０からｒｅｆ１に変換される。このことは本発明の特徴の１つであり、これによって後述する通りレベルシフト回路８の回路構成を簡略化することができる。
【００３２】
光ピックアップ１１は、モータドライバ１０からの駆動信号によって駆動され、ディスクに記録されたデータを読み出す。スピンドルモータ１２は、モータドライバ１０からの駆動信号によって駆動され、装着されたディスクを回転させる。Ｄ／Ａ変換器１３は、信号処理回路５で処理されたデータをアナログ信号に変換する。Ｄ／Ａ変換器１３の出力は、図示しない音声出力端子を介して、外部に接続されたアンプ装置およびスピーカに供給され、音声として再生される。電源回路１４は、商用交流電源が供給され、各部に直流電圧を供給するものであり、例えば、電源回路１４は、レベルシフト回路８およびモータドライバ１０に基準電圧ｒｅｆ１を供給する。
【００３３】
レベルシフト回路８の基本構成を図３のブロック図に示す。レベルシフト回路８は、電圧生成部３１と基準電圧変換部３２とを備える。電圧生成部３１は、電源回路１４から基準電圧ｒｅｆ１が入力され、基準電圧ｒｅｆ１の２倍の電圧（すなわち、変換後のＰＷＭ信号の振幅値である２ｒｅｆ１）を生成して、基準電圧変換部３２に供給する。電圧生成部３１は、入力される基準電圧ｒｅｆ１を２倍にする回路であれば任意の回路を採用でき、例えば、レギュレータ回路や後述する１つのオペアンプを使用した回路を採用できる。
【００３４】
基準電圧変換部３２は、スピンドルサーボ回路からのＰＷＭ信号が入力され、電圧生成部３１から基準電圧ｒｅｆ１の２倍の電圧２ｒｅｆ１が供給されることにより、ＰＷＭ信号の基準電圧をｒｅｆ０からｒｅｆ１に変換する。基準電圧変換部３２は、例えば、ゲートＩＣによって構成されており、ゲートＩＣの電源電圧を２ｒｅｆ１に設定すると、ゲートＩＣの出力電圧は０（Ｖ）および２ｒｅｆ１（Ｖ）の２値を有するＰＷＭ信号（すなわち、ＰＷＭ信号の振幅が２ｒｅｆ１）になり、その結果、ＰＷＭ信号の基準電圧はｒｅｆ１に変換される。基準電圧変換部３２からのＰＷＭ信号は、フィルタ回路９Ｄでアナログ信号に変換され、必要に応じて、振幅値が調整されて、モータドライバ１０に出力される。
【００３５】
次に、図４を参照して、レベルシフト回路８の具体的な回路構成を説明する。電圧生成部３１は、オペアンプ４１、抵抗Ｒ１およびＲ２を有する。オペアンプ４１の非反転入力端子には電源回路１４から基準電圧ｒｅｆ１が入力されている。オペアンプ４１の反転入力端子は、抵抗Ｒ１を介してオペアンプ４１の出力端子に接続され、かつ、抵抗Ｒ２を介して接地電位に接続されている。抵抗Ｒ１およびＲ２の抵抗値を同一にすることにより、オペアンプ４１の出力電圧は２ｒｅｆ１になる。オペアンプ４１の出力電圧２ｒｅｆ１は、電圧生成部３１の出力電圧として、基準電圧変換部３２に供給される。
【００３６】
基準電圧変換部３２はＡＮＤ回路４２を含む。ＡＮＤ回路４２の２つの入力にはスピンドルサーボ回路７ＤからのＰＷＭ信号（図２（ｂ）参照）が入力されている。ＡＮＤ回路４２の電源電圧Ｖｃｃには、オペアンプ４１の出力である２ｒｅｆ１が供給されている。その結果、ＡＮＤ回路４２の出力は、入力されるＰＷＭ信号と同一周期かつ同一デューティ比（すなわち、ハイレベルおよびローレベルのタイミングが同一）であり、かつ、ローレベルである０（Ｖ）とハイレベルである２ｒｅｆ１（Ｖ）との２値を有するＰＷＭ信号が出力される。すなわち、ＡＮＤ回路４２によって、ＰＷＭ信号の振幅値が２ｒｅｆ０から２ｒｅｆ１に変換され、その結果、ＰＷＭ信号の基準電圧がｒｅｆ０からｒｅｆ１に変換される。
【００３７】
ＡＮＤ回路４２の出力信号は、フィルタ回路９Ｄに供給され、フィルタ回路９Ｄにおいてアナログ信号に変換される。フィルタ回路９Ｄは、例えば、抵抗Ｒ３およびコンデンサＣ１を含む。フィルタ回路９Ｄからのアナログ信号は、振幅調整部４１で振幅が調整される。すなわち、スピンドルサーボ回路７ＤからのＰＷＭ信号は、基準電圧がｒｅｆ０からｒｅｆ１に変換されることにより振幅値が増大しているので、元の振幅値になるように振幅調整部によって調整される。振幅調整部４１は、例えば、抵抗Ｒ４を有している。出力電圧は、抵抗Ｒ４と、フィルタ回路９Ｄの抵抗Ｒ３とによって分圧され、振幅値が２ｒｅｆ１×Ｒ４／（Ｒ３＋Ｒ４）に変更される。そのため、抵抗Ｒ３および抵抗Ｒ４の各値は、出力電圧の振幅値がＡＮＤ回路４２に入力されるＰＷＭ信号の振幅値と同一なるように、設定されている。
【００３８】
以上のように、本実施形態では、１つのオペアンプおよび１つのＡＮＤ回路によってＰＷＭ信号の基準電圧をｒｅｆ０からｒｅｆ１に変換することができるので、従来のオペアンプ４つを使用するレベルシフト回路と比較して、部品点数を削減することができる。このような構成にすることができるのは、フィルタ回路９Ｄの前段のＰＷＭ信号の段階で、基準電圧をｒｅｆ０からｒｅｆ１に変換しているからである。
【００３９】
次に、図５Ａを参照して、基準電圧変換部の別の実施形態を説明する。本例における基準電圧変換部５１はＯＲ回路５２を有している。ＯＲ回路５２の２つの入力端子にはスピンドルサーボ回路７ＤからのＰＷＭ信号が入力されている。ＯＲ回路５２の電源電圧には電圧生成部３１の出力電圧２ｒｅｆ１が供給されている。このような構成においても、ＯＲ回路５２の出力は、２ｒｅｆ１の電源電圧で動作されることによって、ローレベルである０（Ｖ）とハイレベルである２ｒｅｆ１（Ｖ）との２値を有するＰＷＭ信号になる。従って、出力されるＰＷＭ信号の基準電圧はｒｅｆ０からｒｅｆ１に変換される。
【００４０】
次に、図５Ｂを参照して、基準電圧変換部のさらに別の実施形態を説明する。本例における基準電圧変換部６１はＯＲ回路６２を有している。ＯＲ回路６２の一方の入力端子にはスピンドルサーボ回路７ＤからのＰＷＭ信号が入力されており、他方の入力端子は接地電位に接続されている。また、ＯＲ回路６２の電源電圧には電圧生成部３１の出力電圧２ｒｅｆ１が供給されている。このような構成においても、ＯＲ回路６２の出力信号は、２ｒｅｆ１の電源電圧で動作されることによって、ローレベルである０（Ｖ）とハイレベルである２ｒｅｆ１（Ｖ）との２値を有するＰＷＭ信号になる。すなわち、出力されるＰＷＭ信号の基準電圧がｒｅｆ０からｒｅｆ１に変換される。
【００４１】
次に、図５Ｃを参照して、基準電圧変換部のさらに別の実施形態を説明する。本例における基準電圧変換部はＡＮＤ回路５５を有している。ＡＮＤ回路５５の一方の入力端子にはスピンドルサーボ回路７ＤからのＰＷＭ信号が入力されており、他方の入力端子はオペアンプ４１の出力端に接続されており、電圧生成部３１の出力電圧２ｒｅｆ１が供給されている。また、ＡＮＤ回路５５の電源電圧には電圧生成部３１の出力電圧２ｒｅｆ１が供給されている。このような構成においても、ＡＮＤ回路５５の出力信号は、２ｒｅｆ１の電源電圧で動作されることによって、ローレベルである０（Ｖ）とハイレベルである２ｒｅｆ１（Ｖ）との２値を有するＰＷＭ信号になる。すなわち、出力されるＰＷＭ信号の基準電圧がｒｅｆ０からｒｅｆ１に変換される。
【００４２】
次に、図６を参照して、基準電圧変換部のさらに別の実施形態を説明する。本例における基準電圧変換部はバッファ回路６８を有している。バッファ回路６８の入力にはスピンドルサーボ回路７ＤからのＰＷＭ信号が入力されている。また、バッファ回路６８の電源電圧には電圧生成部３１の出力電圧２ｒｅｆ１が供給されている。このような構成においても、バッファ回路６８の出力は、２ｒｅｆ１の電源電圧で動作されることによって、ローレベルである０（Ｖ）とハイレベルである２ｒｅｆ１（Ｖ）との２値を有するＰＷＭ信号になる。すなわち、出力されるＰＷＭ信号の基準電圧がｒｅｆ０からｒｅｆ１に変換される。
【００４３】
以上、本発明の好ましい実施形態を説明したが、本発明はこれらの実施形態には限定されない。レベルシフト回路８は、スピンドルサーボ回路７Ｄ以外のサーボ回路の後段に設けられてもよい。例えば、フォーカスサーボ回路７Ａのみが異なる基準電圧を有するＰＷＭ信号を出力する場合、フォーカスサーボ回路７Ａとフィルタ回路９Ａとの間にレベルシフト回路８が設けられる。また、レベルシフト回路は１つに限らず、複数設けられてもよい。また、図１を参照して、レベルシフト回路８が設けられるサーボ回路以外のサーボ回路（フォーカスサーボ回路、トラッキングサーボ回路、スレッドサーボ回路）はＰＷＭ信号ではなく高周波成分が除去されたアナログの制御信号を出力してもよい。この場合、フィルタ回路９Ａ〜９Ｃが設けられないことになる。
【産業上の利用可能性】
【００４４】
本発明は、サーボ回路とモータドライバとを有するＣＤプレーヤ、ＤＶＤプレーヤ等のディスク再生装置に好適に採用され得る。
【図面の簡単な説明】
【００４５】
【図１】本発明の好ましい実施形態によるディスク再生装置を示すブロック図である。
【図２】各サーボ回路から出力されるＰＷＭ信号の基準電圧を説明する図である。
【図３】レベルシフト回路８の基本構成を説明するブロック図である。
【図４】レベルシフト回路８の詳細な回路構成を説明する回路図である。
【図５Ａ】基準電圧変換部の変形例を示す回路図である。
【図５Ｂ】基準電圧変換部の変形例を示す回路図である。
【図５Ｃ】基準電圧変換部の変形例を示す回路図である。
【図６】基準電圧変換部の変形例を示す回路図である。
【図７】従来のレベルシフト回路を示す回路図である。
【符号の説明】
【００４６】
１              ディスク再生装置
７              サーボ回路
８              レベルシフト回路
９              フィルタ回路
１０            モータドライバ
３１            電圧生成部
３２            基準電圧変換部
【図１】
2007228729.tif 000003
【図２】
2007228729.tif 000004
【図３】
2007228729.tif 000005
【図４】
2007228729.tif 000006
【図５Ａ】
2007228729.tif 000007
【図５Ｂ】
2007228729.tif 000008
【図５Ｃ】
2007228729.tif 000009
【図６】
2007228729.tif 000010
【図７】
2007228729.tif 000011